【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】
撮影レンズを通過する被写体像を撮像して画像データを出力する撮像装置と、
前記撮像装置から出力されるＮ行Ｍ列の画像データに対してライン順次の前処理を行ない、第一の画像データを生成する第一の画像処理回路と、
前記第一の画像データを一時的に記憶する第一の記憶装置と、
前記第一の画像データに対してｎ行ｍ列（Ｎ＞ｎ、Ｍ＞ｍ、ｎ≧２、ｍ≧２）のブロックごとにブロック順次でフォーマット処理を行ない、（ｎ−ｉ）行（ｍ−ｊ）列（ｉは１以上の整数、ｊは１以上の整数）の第二の画像データを生成する第二の画像処理回路と、
前記第二の画像データを記録処理する記録処理回路とを備え、
前記（ｎ−ｉ）行（ｍ−ｊ）列の第二の画像データは前記記録処理に必要な大きさであることを特徴とするデジタルカメラ。
【請求項２】
請求項１のデジタルカメラにおいて、
前記記録処理回路は前記第二の画像データを圧縮する圧縮回路であることを特徴とするデジタルカメラ。
【請求項３】
請求項１または２のデジタルカメラにおいて、
前記フォーマット処理は補間処理と色差信号算出処理とを含むことを特徴とするデジタルカメラ。
【請求項４】
撮像装置の撮像により得られたＮ行Ｍ列の画像データにライン順次で前処理を行ない第一の画像データを生成する第一の画像処理命令と、
前記第一の画像データを第一の記憶装置に一時的に記憶する記憶処理命令と、
前記第一の記憶装置に記憶されている前記第一の画像データに対してｎ行ｍ列（Ｎ＞ｎ、Ｍ＞ｍ、ｎ≧２、ｍ≧２）のブロックごとにブロック順次で記録処理に適したフォーマット処理を行ない、（ｎ−ｉ）行（ｍ−ｊ）列（ｉは１以上の整数、ｊは１以上の整数）の第二の画像データを生成する第二の画像処理命令と、
前記第二の画像データに対する記録処理の実行命令とを含み、
前記（ｎ−ｉ）行（ｍ−ｊ）列の第二の画像データは前記記録処理に必要な大きさであることを特徴とするプログラムが格納されている画像信号処理用記憶媒体。
【請求項５】
請求項４の画像信号処理用記憶媒体において、
前記記録処理は前記第二の画像データを圧縮する圧縮処理であることを特徴とする画像信号処理用記憶媒体。
【請求項６】
請求項４または５の画像信号処理用記憶媒体において、
前記フォーマット処理は補間処理と色差信号算出処理とを含むことを特徴とする画像信号処理用記憶媒体。
【請求項７】
請求項１のデジタルカメラにおいて、
前記第二の画像データを一時的に記憶する第二の記憶装置をさらに備え、
前記記録処理回路は、前記第二の記憶装置に記憶された前記第二の画像データに対して記録処理を行なうことを特徴とするデジタルカメラ。
【請求項８】
請求項７のデジタルカメラにおいて、
前記第一の記憶装置と前記第二の記憶装置とは同一の記憶装置であることを特徴とするデジタルカメラ。
【請求項９】
請求項１のデジタルカメラにおいて、
前記フォーマット処理は、前記前処理の行なわれたｎ行ｍ列のブロックの第一の画像データに対するメディアン処理を含むことを特徴とするデジタルカメラ。
【請求項１０】
請求項９のデジタルカメラにおいて、
前記ｎ行ｍ列のブロックの第一の画像データから抽出された、（ｎ−ｉ１）行（ｍ−ｊ１）列の画像データに対してメディアン処理を行なうことを特徴とするデジタルカメラ。
【請求項１１】
請求項１のデジタルカメラにおいて、
前記撮像装置は、前記被写体像を撮像してアナログ画像信号を出力する撮像部と、前記アナログ画像データをデジタル画像に変換するＡ／Ｄ変換回路とを含むことを特徴とするデジタルカメラ。
【請求項１２】
請求項２のデジタルカメラにおいて、
前記第二の画像処理回路は、前記ｎ行ｍ列のブロックの第一の画像データに基づいて（ｎ−ｉ２）行（ｍ−ｊ２）列の画像データで表される輝度データと（ｎ−ｉ３）行（ｍ−ｊ３）列の画像データで表される色差データとを生成し、
前記輝度データと前記色差データとは前記圧縮回路において実行される圧縮に適したデータであることを特徴とするデジタルカメラ。
【手続補正２】
【補正対象書類名】明細書
【補正対象項目名】０００７
【補正方法】変更
【補正の内容】
【０００７】
【課題を解決するための手段】
一実施の形態を示す図１および図２を参照して本発明を説明する。
（１）請求項１の発明は、撮影レンズ９１を通過する被写体像を撮像して画像データを出力する撮像装置７３（２６）と、撮像装置２６から出力されるＮ行Ｍ列の画像データに対してライン順次の前処理を行ない、第一の画像データを生成する第一の画像処理回路２９と、第一の画像データを一時的に記憶する第一の記憶装置３０と、第一の画像データに対してｎ行ｍ列（Ｎ＞ｎ、Ｍ＞ｍ、ｎ≧２、ｍ≧２）のブロックごとにブロック順次でフォーマット処理を行ない、（ｎ−ｉ）行（ｍ−ｊ）列（ｉは１以上の整数、ｊは１以上の整数）の第二の画像データを生成する第二の画像処理回路２９と、第二の画像データを記録処理する記録処理回路３３とを備え、（ｎ−ｉ）行（ｍ−ｊ）列の第二の画像データは記録処理に必要な大きさであることを特徴とする。
（２）請求項２の発明は、請求項１のデジタルカメラにおいて、記録処理回路は第二の画像データを圧縮する圧縮回路としたものである。
（３）請求項３の発明は、請求項１のデジタルカメラにおいて、フォーマット処理は補間処理と色差信号算出処理とを含むものである。
（４）請求項４の画像信号処理用記憶媒体には、撮像装置７３（２６）の撮像により得られたＮ行Ｍ列の画像データにライン順次で前処理を行ない第一の画像データを生成する第一の画像処理命令と、第一の画像データを第一の記憶装置３０に一時的に記憶する記憶処理命令と、第一の記憶装置に記憶されている第一の画像データに対してｎ行ｍ列（Ｎ＞ｎ、Ｍ＞ｍ、ｎ≧２、ｍ≧２）のブロックごとにブロック順次で記録処理に適したフォーマット処理を行ない、（ｎ−ｉ）行（ｍ−ｊ）列（ｉは１以上の整数、ｊは１以上の整数）の第二の画像データを生成する第二の画像処理命令と、第二の画像データに対する記録処理の実行命令とを含み、（ｎ−ｉ）行（ｍ−ｊ）列の第二の画像データは記録処理に必要な大きさであることを特徴とするプログラムが格納されている。
（５）請求項５の発明は、請求項４の画像信号処理用記憶媒体において、記録処理は第二の画像データを圧縮する圧縮処理であることを特徴とする。
（６）請求項６の発明は、請求項４または５の画像信号処理用記憶媒体において、フォーマット処理は補間処理と色差信号算出処理とを含むことを特徴とする。
（７）請求項７の発明は、請求項１のデジタルカメラにおいて、第二の画像データを一時的に記憶する第二の記憶装置３０をさらに備え、記録処理回路は、第二の記憶装置３０に記憶された第二の画像データに対して記録処理を行なうことを特徴とする。
（８）請求項８の発明は、請求項７のデジタルカメラにおいて、第一の記憶装置３０と第二の記憶装置３０とは同一の記憶装置であることを特徴とする。
（９）請求項９の発明は、請求項１のデジタルカメラにおいて、フォーマット処理は、前処理の行なわれたｎ行ｍ列のブロックの第一の画像データに対するメディアン処理を含むことを特徴とする。
（１０）請求項１０の発明は、請求項９のデジタルカメラにおいて、ｎ行ｍ列のブロックの第一の画像データから抽出された、（ｎ−ｉ１）行（ｍ−ｊ１）列の画像データに対してメディアン処理を行なうことを特徴とする。
（１１）請求項１１の発明は、請求項１のデジタルカメラにおいて、撮像装置７３は、被写体像を撮像してアナログ画像信号を出力する撮像部２６，２７と、アナログ画像データをデジタル画像に変換するＡ／Ｄ変換回路２８とを含むことを特徴とする。
（１２）請求項１２の発明は、請求項２のデジタルカメラにおいて、第二の画像処理回路２９は、ｎ行ｍ列のブロックの第一の画像データに基づいて（ｎ−ｉ２）行（ｍ−ｊ２）列の画像データで表される輝度データと（ｎ−ｉ３）行（ｍ−ｊ３）列の画像データで表される色差データとを生成し、輝度データと色差データとは圧縮回路３３において実行される圧縮に適したデータであることを特徴とする。
【手続補正３】
【補正対象書類名】明細書
【補正対象項目名】００３１
【補正方法】変更
【補正の内容】
【００３１】
５×５画素領域の（Ｒ−Ｇ）データを図１１のように表わすとき、上記補間演算とローパスフィルタリング処理演算は次式（６）で表される。
【数２】
InterpR-G(i,j)=[{R-G(i-2,j-2)+R-G(i+2,j-2)+R-G(i-2,j+2)+R-G(i+2,j+2)}×kc1
+{R-G(i-2,j-2)+R-G(i+2,j-2)+R-G(i-1,j+2)+R-G(i+1,j+2)}×kc2
+{R-G(i,j-2)+R-G(i,j+2)}×kc3
+{R-G(i-2,j-1)+R-G(i+2,j-1)+R-G(i-2,j+1)+R-G(i+2,j+1)}×kc4
+{R-G(i-1,j-1)+R-G(i+1,j-1)+R-G(i-1,j+1)+R-G(i+1,j+1)}×kc5
+{R-G(i,j-1)+R-G(i,j+1)}×kc6 + {R-G(i-2,j)+R-G(i+2,j)}×kc7
+{R-G(i-1,j)+R-G(i+1,j)}×kc8 + {R-G(i,j)}×kc9]/(2^Ktr-g)  （６）
ただし、kc1〜kc9、Ktr-gは係数